(57)【要約】      （修正有）【課題】  扉開放用の手掛け部を有するハンドルを意匠上の要求で細めにできる構造とし細めにした場合でも、扉正面より見たとき、ハンドルの裏面に扉外板とシール片との合わせ目が露出しない構造を提供する。【解決手段】  扉の側面壁とガスケット取り付け面側のフランジを金属製鋼板にて形成し、その扉の金属製フランジの一部を切欠いて、切欠き部の断熱材側に熱伝導率が金属製鋼板より小さい合成樹脂製補強部材を設置し、該切欠き部の金属製側面壁表面を覆うように側面壁にハンドル部材を係止し、ハンドル部材に手掛け片を設け、切欠き部の一辺部を含む凹部で形成する手掛け部を設け、手掛け部の切欠き部端面をハンドル部材のシール片にて隠蔽し、シール片が扉正面より見えないように、ハンドル部材の手掛け片で覆った。【選択図】  図４
2005083682.tif 000002
【特許請求の範囲】
【請求項１】
冷蔵庫の前面開口部を開閉する金属製の扉を備えた冷蔵庫であって、
前記扉は、
その前面に、前記前面の一辺部に沿うように設けられる手掛け部と、
前記前面の一辺部に連続する側面に、前記側面を分割するように設けられる切欠部と、
前記切欠部を前記扉の側面表面側から覆うように備えられ、前記前面の一辺部に沿う位置に延出して前記手掛け部を構成するハンドル部材と、
前記ハンドル部材と対向して前記扉の側面裏面側に備えられる補強部材と
を有することを特徴とする冷蔵庫。
【請求項２】
前記手掛け部は、前記ハンドル部材と別体で構成され前記扉前面の一辺部に沿う位置に設けられる手掛け片と、前記手掛け片と対向する扉前面の位置に設けられる凹部とによって構成され、
前記凹部の前記切欠部側の端部をシール片にて隠蔽し、このシール片が扉正面より見えないように覆われるように前記手掛け片を備えたことを特徴とする請求項１に記載の冷蔵庫。
【請求項３】
冷蔵庫の前面開口部を開閉する金属製の扉を備えて冷蔵庫であって、
扉の前面と、その一辺部に連続する側面壁と、前記側面壁の前記一辺部と反対側の一辺部と連続する裏面側のフランジとが金属製鋼板にて一体で形成され、
前記側面壁と前記裏面側のフランジの一部を切欠いて、前記切欠部における前記扉の内部側に熱伝導率が金属製鋼板より小さい合成樹脂製補強部材が設置されると共に、
前記切欠部の側面壁表面側を覆うように前記側面壁にハンドル部材が係止され、
前記ハンドル部材に使用者が扉の開閉を行なう手掛け片を設け、
前記手掛け片相当位置の扉前面に、前記切欠部の一辺部を含む凹部で形成する手掛け部を設け、前記手掛け部の前記切欠部側端面がシール片にて隠蔽され、
前記手掛け片は、前記シール片が扉正面より見えないように、前記扉の前面の一部に延出するように形成されたことを特徴とする冷蔵庫。
【請求項４】
扉の前面とその一辺部に連続する側面壁を打ち抜き加工以前に塗装したプレコート鋼板にて形成し、
該プレコート鋼板製の扉前面および側面壁に打ち抜き加工により切欠部を設置し、該切欠き部端面をハンドル部材で６ｍｍから１２ｍｍ覆ったことを特徴とする請求項１乃至３のいずれかに記載の冷蔵庫。
【請求項５】
前記ハンドル部材は、前記切欠部の長手方向の切欠幅よりも幅広であり、前記側面壁の切欠部を形成する両側端部にガイド孔が設置され、
該ガイド孔に前記ハンドル部材の係止軸を嵌合し、この係止軸で金属製側面壁の裏面に設置した補強部材とハンドル部材との組み立て位置決めをしたことを特徴とする請求項１乃至４のいずれかに記載の冷蔵庫。
【請求項６】
前記ガイド孔は、前記側面壁の切欠部を形成する両側端部に設けられる凸部に設置されていることを特徴とする請求項５に記載の冷蔵庫。
【請求項７】
前記凸部は、側面壁のうち、前面側から遠い位置に設けられることを特徴とする請求項６に記載の冷蔵庫。
【請求項８】
前記補強部材の前記側面壁長手方向幅を前記切欠部の前記側面壁長手方向幅のほぼ２倍としたことを特徴とする請求項１乃至７のいずれかに記載の冷蔵庫。
【発明の詳細な説明】
【技術分野】
【０００１】
本発明は冷蔵庫に関する。
【背景技術】
【０００２】
冷蔵庫用扉の従来方式の一例としては、特許文献１に記載のように、金属製の外板から構成された外殻体内に断熱材を充填し、表面に凹部を設け、該凹部に延出する手掛け部２９を設け、かつ、扉表面と一周囲面とに跨り開口部３０を形成し、該開口部の表面側の縁部に窪み部３１を形成し、該窪み部にハンドル部材３３とハンドルカバー３４および当て板３２を設置していた。なお、窪み部３１の金属製外板の先端段部３１aをハンドル部材の湾曲面部３３aおよび係合爪部３３eで覆っていた。
【０００３】
また、冷蔵庫用扉の手掛け部構造の従来方式の他の一例としては、図１４から図１５に示すように、扉８１の一部に窪み部８４を設け、該窪み部を覆うハンドル部材８３と開放用手掛け部８２を形成するハンドルを設け、かつ、該窪み部表面と窪み部側面とに跨り開口部９１を設け、該開口部９１周囲の繋がり部である扉外板の側面壁８５および金属製フランジ８６を設置していた。
【０００４】
【特許文献１】特開平8-296954号公報
【発明の開示】
【発明が解決しようとする課題】
【０００５】
意匠上、手掛け部を形成するハンドルカバーを細めとしたいという要求がある。
【０００６】
上記従来技術の特許文献１の例では、手掛け部を形成するハンドルカバー３４を意匠上の要求で細めとした場合でも、開口部３０周囲に外板２４の材料が連続する繋がり部２４cや差込片部２４bが残されているために、金属製外板の先端段部３１aと係合爪部３３eとの接続位置は変えられないので、扉正面より見たときハンドル部材の係合爪部３３e近傍の湾曲面部３３aがハンドルカバー３４の裏に露出してしまい意匠効果を半減する可能性を有していた。
【０００７】
同様に、上記従来技術の図１４から図１５に示す例では、開口部９１周囲の繋がり部である扉外板の側面壁８５および金属製フランジ８６を有するために、側面壁８５から開口部端面９１aまでの寸法Ｔ12を後述する折り曲げ加工上から所定の大きさ以上としなければならなかった。すなわち、当該寸法Ｔ12が小さいほどシール片と扉外板との合わせ目Ｚ２部が開放用手掛け部８２により覆われることとなり意匠上望ましいが、折り曲げ加工上の制限により所定の大きさより寸法Ｔ12を小さくすることは制限される。従って、開放用手掛け部８２を意匠上の要求から小さくした場合、シール片と扉外板との合わせ目Ｚ2部が、ハンドル８２の裏面から露出してしまい（露出部幅Ｔ5）、扉正面より見たときの意匠効果をかえって半減することとなる。
【０００８】
また、開口部９１周囲の繋がり部である扉外板の側面壁８５および金属製フランジ８６を設置していたので、図１６から図１７に示すように折り曲げ加工用の曲げ型が複雑になっていた。つまり、図１６に示すように側面壁８５を形成するためにＲ7部の折り曲げ加工をする場合、開口部９１自身には曲げ部Ｒ7部が存在しないが、側面壁８５および金属製フランジ８６となるべき部材の変形防止のために、上曲げ型８７と下曲げ型８８で側面壁８５および金属製フランジ８６となるべき部材部を挟持して加工歪の発生を抑える必要がある。そのために、下曲げ型８８に挟持部Ｔ3部を突出して設置する複雑さがあった。
【０００９】
なお、該Ｔ3部は金型の寿命強度上所定の厚さ以上とする必要があるため、前述のＴ12寸法も所定の寸法以上とする必要があった。また、窪み部８４深さと側面壁８５との重なりであるＬ10寸法が大きければ大きいほど前記Ｔ3部は金型の寿命強度上より厚くする必要があるのは自明である。
【００１０】
また、図１７に示すように、金属製フランジ８６を形成するために曲げ部Ｒ8部の折り曲げ加工をする場合、内型９０に外型８９と嵌合する凸部Ｔ4を設置する複雑さがあった。また、内型９０の凸部Ｔ4は窪み部８４と金属製フランジ８６の寸法Ｔ4以内の薄さにする必要があるため、金型の寿命強度上問題があった。
【００１１】
また、扉の窪み部８４相当位置に、開口部９１周囲の繋がり部である扉外板の金属製側面壁８５および金属製フランジ８６を設置しているので、冷蔵庫庫内側冷気で冷却された扉庫内壁Ｙ2からの冷熱が開口部９１周囲の繋がり部である金属製フランジ８６や金属製側面壁８５を経由して、窪み部金属面８４aを冷却しやすくなり、同時に、冷蔵庫庫内側冷気で冷却された扉庫内壁Ｙ2からの冷熱が窪み部８４のために扉断熱厚さの薄くなった部分Ｔ11を熱伝導しやすくなり、その結果扉の窪み部金属面８４aに結露する可能性があった。
【００１２】
また、扉の窪み部金属面８４aの結露を防止するために、窪み部８４相当位置の扉断熱厚さを通常部分の厚さＴ1プラスＴ2とする必要があったので、扉断熱構造の複雑さがあった。
【００１３】
以上のことから、本発明の第一の目的は扉開放用の手掛け部を有するハンドルを意匠上の要求で細めにできる構造を提供することにある。また、第二の目的は手掛け部を有するハンドルを意匠上の要求で細めにした場合でも、扉正面より見たとき、ハンドルの裏面に扉外板とシール片との合わせ目が露出しない構造を提供することにある。また、第三の目的は扉外板の側面壁あるいは金属製フランジを形成するための、折り曲げ加工用の曲げ型の改良方法を提供することにある。第四の目的は、扉の窪み部金属面の結露を防止できる構造を提供することにある。本発明は、上記の目的のいずれかを解決するものである。
【課題を解決するための手段】
【００１４】
上記目的を達成するために、本発明は、冷蔵庫の前面開口部を開閉する金属製の扉を備えた冷蔵庫であって、第一に、
前記扉は、
その前面に、前記前面の一辺部に沿うように設けられる手掛け部と、
前記前面の一辺部に連続する側面に、前記側面を分割するように設けられる切欠部と、
前記切欠部を前記扉の側面表面側から覆うように備えられ、前記前面の一辺部に沿う位置に延出して前記手掛け部を構成するハンドル部材と、
前記ハンドル部材と対向して前記扉の側面裏面側に備えられる補強部材と
を有することを特徴とする。
【００１５】
また、上記の冷蔵庫であって、第二に、
前記手掛け部は、前記ハンドル部材と別体で構成され前記扉前面の一辺部に沿う位置に設けられる手掛け片と、前記手掛け片と対向する扉前面の位置に設けられる凹部とによって構成され、
前記凹部の前記切欠部側の端部をシール片にて隠蔽し、このシール片が扉正面より見えないように覆われるように前記手掛け片を備えたことを特徴とする。
【００１６】
また、第三に、
扉の前面と、その一辺部に連続する側面壁と、前記側面壁の前記一辺部と反対側の一辺部と連続する裏面側のフランジとが金属製鋼板にて一体で形成され、
前記側面壁と前記裏面側のフランジの一部を切欠いて、前記切欠部における前記扉の内部側に熱伝導率が金属製鋼板より小さい合成樹脂製補強部材が設置されると共に、
前記切欠部の側面壁表面側を覆うように前記側面壁にハンドル部材が係止され、
前記ハンドル部材に使用者が扉の開閉を行なう手掛け片を設け、
前記手掛け片相当位置の扉前面に、前記切欠部の一辺部を含む凹部で形成する手掛け部を設け、前記手掛け部の前記切欠部側端面がシール片にて隠蔽され、
前記手掛け片は、前記シール片が扉正面より見えないように、前記扉の前面の一部に延出するように形成されたことを特徴とする。
【００１７】
また、第四に、上記の第一から第三の特徴を有する冷蔵庫であって、扉の前面とその一辺部に連続する側面壁を打ち抜き加工以前に塗装したプレコート鋼板にて形成し、
該プレコート鋼板製の扉前面および側面壁に打ち抜き加工により切欠部を設置し、該切欠き部端面をハンドル部材で６ｍｍから１２ｍｍ覆ったことを特徴とする。
【００１８】
また、第五に、上記の第一から第四の特徴を有する冷蔵庫であって、前記ハンドル部材は、前記切欠部の長手方向の切欠幅よりも幅広であり、前記側面壁の切欠部を形成する両側端部にガイド孔が設置され、
該ガイド孔に前記ハンドル部材の係止軸を嵌合し、この係止軸で金属製側面壁の裏面に設置した補強部材とハンドル部材との組み立て位置決めをしたことを特徴とする。
【００１９】
また、第六に、上記第五の特徴を有する冷蔵庫であって、前記ガイド孔は、前記側面壁の切欠部を形成する両側端部に設けられる凸部に設置されていることを特徴とする。
【００２０】
また、第七に、上記第六の特徴を有する冷蔵庫であって、前記凸部は、側面壁のうち、前面側から遠い位置に設けられることを特徴とする。
【００２１】
そして、第八に、上記の第一から第七の特徴を有する冷蔵庫であって、前記補強部材の前記側面壁長手方向幅を前記切欠部の前記側面壁長手方向幅のほぼ２倍としたことを特徴とする。
【発明の効果】
【００２２】
本発明によれば、冷蔵庫扉開放用の手掛け部を有するハンドルを意匠上の要求で細めにできる構造を提供することができる。また、手掛け部を有するハンドルを意匠上の要求で細めにした場合でも、扉正面より見たとき、ハンドルの裏面に扉外板とシール片との合わせ目が露出しない構造を提供することができる。また、扉外板の側面壁あるいは金属製フランジを形成するための、折り曲げ加工用の曲げ型の改良方法を提供することができる。また、扉の窪み部金属面の結露を防止できる構造を提供することができる。
【発明を実施するための最良の形態】
【００２３】
以下本発明の詳細を図に示す一実施例で説明する。
【００２４】
図１は本発明の一実施例を示す冷蔵庫正面図であり、図２は本発明の一実施例を示す扉斜視図である。図３は図２のＢ−Ｂ線に沿う断面図であり、図４は図３のＤ−Ｄ線に沿う縦断面図である。図５は図３のＣ−Ｃ線に沿う縦断面図であり、図６は図３のＥ−Ｅ線に沿う縦断面図である。図７は本発明の一実施例を示すもので、ハンドル部材および補強部材の扉外板に対する取り付け状態を、扉上方より見た場合の分解斜視図である。図８は図７の一部を扉下方より見た場合の分解斜視図である。図９は本発明の第一の実施例を示すもので、扉外板の折り曲げ形成前の状態を示す平面図である。以下、これらの図を参照しながら説明する。なお、本例では、製氷室扉３又は冷凍室扉４に示す引出式の扉に本発明を適用しているが、冷蔵室扉２のような回転式の扉に適用しても何ら問題はない。
【００２５】
図において、１は冷蔵庫箱体であり、その開口前面に複数の冷蔵室扉２、製氷室扉３、冷凍室扉４を開閉可能に設置している。５は冷蔵庫箱体と扉を開閉可能に閉鎖するために扉の室内側を構成する扉内板６に設置されたガスケットである。
【００２６】
２６はそれぞれの扉に設置されたハンドル部材であり、該ハンドル部材は冷蔵庫全体意匠を向上させるべくその幅寸法を細めにしてある。つまり図４のＬ1寸法を後述するように１０ｍｍから３０ｍｍ程度に小さくしてある。換言すれば、それぞれの扉を開閉するための必要最小寸法以上であり、かつ、意匠上全体のバランスをとれるような細めのハンドル形状に構成してある。
【００２７】
また、ハンドル部材周囲構造を統一して冷蔵庫全体のバランスをとると共に、それぞれの扉に共用部材を使用することにより部品の標準化可能な構成にしてある。
【００２８】
１０は前記冷蔵室扉２、製氷室扉３、冷凍室扉４を構成するそれぞれの金属製扉外板でありその扉の前面となる表面主体面１１を、打ち抜き加工以前に塗装したプレコート鋼板にて形成している。
【００２９】
１９および２０は表面主体面１１を左右両側面あるいは、上下両側面から挟持する側板である。
【００３０】
表面主体面１１はその一辺部に連続する金属製の側面壁１２を有しており、該側面壁１２は表面主体面１１とは反対側（裏面側）のガスケット取り付け面側に金属製フランジ１３を一体に有している。金属製フランジ１３は前述の側面壁１２と相俟って扉外板１０自身の曲げ強度向上および捩れ強度向上に資すると共に、図６に示すように、ガスケット５を設置する扉内板６を置載係止できるように構成されている。
【００３１】
１４は表面主体面１１の側面壁１２近傍に設置された凹部であり、後述するハンドル部材の手掛け片２８に手を掛けて扉の開閉をできるような寸法Ｗ1を確保した窪み状に形成してある。また、凹部１４相当位置の扉表面主体面１１の一辺部と側面壁１２および金属製フランジ１３には、切欠部１７を設けて、かつ、該切欠部１７に後述する熱伝導率が金属製鋼板より小さい合成樹脂より形成された補強部材２１を嵌合することにより、熱伝導による凹部１４表面の結露の可能性を低減している。なお、切欠部１７の形状等の構成については後述する。
【００３２】
換言すれば、冷蔵室扉２や製氷室扉３あるいは冷凍室扉４のそれぞれの扉内板６は、それぞれの室内設定温度に影響されて、冷蔵庫周囲温度より低温に保持されているので、その低温度が金属製フランジ１３に伝導し、金属製側面壁１２を経由して金属製表面主体面１１に伝導しても、扉表面に結露しないような扉断熱性能および扉断熱厚さＴ10がそれぞれに設定されている。しかし、凹部１４においては前述のような窪みを形成してあるため、扉断熱厚さがＴ10より薄いＴ9に構成してある。従って、扉断熱厚さがＴ10より薄いＴ9部分の金属製フランジ１３と金属製側面壁１２を切欠き、該切欠部１７に熱伝導率が金属製鋼板より小さい合成樹脂より形成された補強部材２１を嵌合することにより、従来例の図１５で示した、開口部９１周囲の繋がり部である金属製フランジ８６や金属製側面壁８５を経由して、凹部１４表面を冷却する熱伝導量を低減して、該凹部１４表面の結露の可能性を低減している。
【００３３】
側面壁１２の切欠部１７を形成する両側端部には、その側面壁１２の長手方向の切欠幅Ｗ2内にガイド孔１６を有する凸部１５を複数個設置している。つまり、図９に示すように、切欠幅Ｗ2に対してガイド孔１６の位置をＬ8が零もしくは、プラス寸法となるように構成してある。従って、後述するようにガイド孔１６の端面よりの発錆が生じた場合でもハンドル部材により隠蔽されるように構成してある。
【００３４】
また凸部１５は、側面壁１２のうち、表面主体面１１から遠い位置に設けることが強度上望ましい。本実施例では、図９に示すように表面主体面１１の反対側の位置に凸部１５を備えることによって切欠幅Ｗ2を確保している。
【００３５】
また、切欠部１７の断熱材１８側、すなわち、扉側面の裏面部側には切欠幅より幅広の補強部材２１を設置してある。つまり、図２に示すように切欠部１７の幅Ｗ2に対して補強部材２１の幅Ｗ4を約二倍として、切欠部１７を有することによる扉外板１０の曲がり強度低下および捩れ強度低下を防止するように構成されている。
【００３６】
本実施例によれば、金属製側面壁およびガスケット取り付け面側の金属製フランジの切欠部裏面に補強部材を設置し、該補強部材の幅を金属製側面壁切欠部の幅のほぼ２倍としたので、切欠部により弱体化した扉外板単品を、補強部材の補強により実使用上十分な強度を有する冷蔵庫の扉を提供できる。
【００３７】
また、補強部材２１は図７に示すように、切欠部１７と嵌合する凸部２１eを設置してあり、該凸部２１eが切欠部１７と嵌合すると共に、前フランジ２１a、後フランジ２１bおよび凹部嵌合フランジ２１cとに補強されて、扉外板１０の曲がり強度向上および捩れ強度向上に効果あるように構成されている。すなわち、本実施例のように、切欠部１７が側面壁１２を全て切り欠いて、側面壁１２を分割するようにした場合にあっては、側面壁１２の裏面部側から補強部材２１を設置し、さらに切欠部１７の幅Ｗ2に対して補強部材の幅を大きくとり、補強部材２１の側面壁１２と重複する部分Ｌ６（以下、オーバーラップ部という。）を設けることが、扉外板１０の強度を向上させるために有効である。
【００３８】
なお、補強部材２１は図６に示すように、その奥行き方向の厚さＴ8を扉外板１０の内側厚さＴ7と嵌合する寸法に形成している為、ウレタン断熱材１８等を発泡充填する以前の状態においても、切欠部１７を有する扉外板１０の曲がり強度向上および捩れ強度向上に効果あるように構成されている。
【００３９】
２６は凹部１４相当位置の側面壁１２に、切欠部１７を隠蔽するように側面壁１２の表面側から設置されたハンドル部材である。該ハンドル部材２６の前記ガイド孔１６相当位置に、該ガイド孔１６と嵌合し、かつ、補強部材２１の固定穴２２と嵌合する複数個の係止軸２７を有しており、該係止軸２７の嵌合によって補強部材２１とハンドル部材２６は側面壁１２に対する組み立て位置決めをされるように構成してある。
【００４０】
本実施例によれば、金属製側面壁１２の切欠部表面の全体を覆うように該切欠部を隠蔽するハンドル部材を設置し、該ハンドル部材の幅を金属製側面壁の切欠部幅より幅広とし、該金属製側面壁の切欠部幅内にガイド孔を設置し、該ガイド孔にハンドル部材の係止軸を嵌合し、該係止軸で金属製側面壁の裏面に設置した補強部材とハンドル部材との組み立て位置決めをしたので、ハンドル部材と補強部材の組み込みが容易になり、製造効率の向上した冷蔵庫の扉を提供できる。
【００４１】
また、後述のウレタン断熱材発泡以前でも、係止軸２７の嵌合によって補強部材２１とハンドル部材２６は側面壁１２を強固に挟持しているので、かつ、前述の図６のように補強部材２１と扉外板１０、および、ハンドル部材２６の前フランジ２６ａと後フランジ２６ｂが嵌合されているので、切欠部１７を有する扉外板１０の曲がり強度および捩れ強度が向上して、製造過程のハンドリングに十分耐えられる構成となる。
【００４２】
なお、ウレタン断熱材１８を発泡充填するときに、該ウレタン発泡液が補強部材２１に設けた複数の通し穴２３を通過してハンドル部材裏面２６c部に浸入して発泡するため、ウレタン自身の接着性によりハンドル部材２６はより強固に側面壁１２と補強部材２１に固着されるように構成されている。
【００４３】
２９は前記の金属製凹部の端面１４aを隠蔽するシール片であり、本例では、ハンドル部材に設けられている。このシール片２９は、金属製凹部表面１４bを防錆上十分な寸法Ｌ4だけ隠蔽している。換言すれば、製造誤差や製造後の温度変化により生ずる微小隙間Ｇ5を通して、長期間に亘り冷蔵庫周囲の多湿空気や清掃時の水分の浸入により金属製凹部端面１４aに発錆が生じ、その錆が長期間に亘り金属を侵食進行した場合でも、所定保障期間の侵食進行寸法以上にＬ4を設定してある。
【００４４】
本実施例によれば、扉の表面主体面とその一辺部に連続する側面壁とガスケット取り付け面側のフランジを金属製鋼板にて形成し、その金属製側面壁とガスケット取り付け面側の金属製フランジの一部を切欠いて、該切欠き部の断熱材側に熱伝導率が金属製鋼板より小さい合成樹脂製補強部材を設置すると共に、該切欠き部の金属製側面壁表面を覆うように該側面壁にハンドル部材を係止し、該ハンドル部材に手指の第一関節が掛かる手掛け片を設け、該手掛け片を扉の表面主体面の一部に延出するように形成して、該手掛け片相当位置の扉表面主体面に、前記切欠き部の一辺部を含む凹部で形成する手掛け部を設け、該手掛け部の切欠き部端面をハンドル部材のシール片にて隠蔽し、該シール片が扉正面より見えないように、前記ハンドル部材の手掛け片で覆ったので、冷蔵庫庫内側冷気で冷却された扉内板からの冷熱が熱伝導する従来例のような、開口部９１周囲の金属製繋がり部がないので、手掛け部を形成する凹部表面に結露しにくい冷蔵庫の扉を提供できると共に、前述した効果を奏する。
【００４５】
同様に、前記の切欠部の端面１７aは、ハンドル部材２６により防錆上十分な寸法Ｌ５で覆われている。換言すれば、製造誤差や製造後の温度変化により生ずる微小隙間Ｇ6を通して、長期間に亘り冷蔵庫周囲の多湿空気や清掃時の水分の浸入により切欠部端面１７aに発錆が生じ、その錆が長期間に亘り金属を侵食進行した場合でも、所定保障期間の侵食進行寸法以上にＬ5を設定してある。
【００４６】
なお、発明者らによる長期実使用冷蔵庫の分析結果によれば、侵食進行寸法は構造上の違いで異なり、例えば冷蔵庫扉の下面では、長期使用中の清掃時水分等の浸入程度の違いにより冷蔵庫扉の上面より侵食進行が大きいことがわかった。
【００４７】
また、ポリエステル塗装を施したプレコート鋼板を打ち抜き加工して、冷蔵庫扉の下面に使用した場合の切断端面の発錆および侵食進行寸法は、所定保障期間を２０年とした場合２ｍｍから５ｍｍ程度であった。
【００４８】
また、母板に亜鉛系めっきを施し、その上にりん酸塩処理あるいはクロメート処理等の化成処理を行い、その上にポリエステル塗装を施したプレコート鋼板を打ち抜き加工して、冷蔵庫扉の下面に使用した場合の切断端面の発錆および侵食進行寸法は、所定保障期間を２０年とした場合１ｍｍから４ｍｍ程度であった。
【００４９】
従って、本発明は、製造誤差等のバラツキに対する安全率を加味して、Ｌ4寸法およびＬ5寸法を６ｍｍ以上とするのが望ましい。
【００５０】
また、前記のＬ4寸法およびＬ5寸法は錆を隠蔽するためには大きいほど良いが、ハンドル部材２６の幅Ｗ3および後述するハンドル部材の手掛け片２８の手掛け寸法Ｌ1を、冷蔵庫全体のバランスを重視する意匠の関係上１２ｍｍ以下とするのが望ましい。
【００５１】
本実施例によれば、扉の表面主体面とその一辺部に連続する側面壁を、打ち抜き加工以前に塗装したプレコート鋼板にて形成し、該プレコート鋼板製の扉表面主体面および側面壁に打ち抜き加工により切欠き部を設置し、該切欠き部端面をハンドル部材で６ｍｍから１２ｍｍ覆ったので、多湿雰囲気で使用しても、長期間に亘り金属錆が露出しない冷蔵庫の扉を提供できる。
【００５２】
２８はハンドル部材の手掛け片であり、扉前面の一辺部に沿う位置に配置され、扉正面より前記シール片２９が見えないように、シール片相当位置の扉表面部に該シール片を隠蔽するように設置されている。つまり、図４に示すシール片２９先端と手掛け片２８先端との寸法Ｌ2がプラス寸法となるように構成されている。
【００５３】
なお、手掛け片２８は使用者が手掛け片２８に手を掛けることによって扉の開閉を行なう部材であり、ハンドル部材２６と一体あるいは別体に構成されているが、通常は意匠上の観点および手を掛けた場合の触感上から別体に成型した部材を成形後、ハンドル部材２６に嵌合するのが望ましい。
【００５４】
また、手掛け部３０は、少なくとも手掛け片２８によって構成され、本実施例では、手掛け片２８は、扉の表面主体面１１の一部に延出するように形成して、手掛け片２８相当位置の扉表面主体面１１に、切欠部１７の一辺部を含む凹部１４とともに手掛け部３０を形成している。当該構成とすることによって手掛け部が設置された扉を開放する際に手指先端を挿入するのに十分な空間広さを有すると共に、手掛け代Ｌ1寸法は、冷蔵庫使用者が手指を痛めず無理なく扉の開放ができるように、手指の第一関節程度以上の寸法を有することが望ましく、一般家庭用冷蔵庫の手掛け代Ｌ1寸法としては１０ｍｍから３０ｍｍとすることが望ましい。
【００５５】
本実施例によれば、例扉表面の一辺部に切欠き部を設置し、該切欠き部の一辺部を含む凹部で形成する手掛け部を設け、該手掛け部の切欠き部端面をシール片にて隠蔽し、該シール片が扉正面より見えないように、ハンドル部材の手掛け片で覆ったので、ハンドル部材を細めにでき、かつ、ハンドル部材の裏面からシール片と扉外板の合わせ目が露出しないので、意匠上優れた冷蔵庫の扉を提供できる。
【００５６】
なお、本例では、製氷室扉３又は冷凍室扉４に示す引出式の扉に本発明を適用しているため、ハンドル部材２６は通常側板１２の中央部に配置されるため、補強部材２１のオーバーラップ部も左右で同じ長さだけ設ければよい。また、冷蔵室扉２のような回転式の扉に用いる場合は必ずしも中央部に配置するとは限らないが、そのときは、適宜オーバーラップ部の長さを調節すればよい。
【００５７】
次に本発明の扉外板加工の第一の実施例を図９により説明する。
【００５８】
図９は扉外板１０の折り曲げ形成前の状態を示す平面図であり、表面主体面１１の一部に切欠部１７を打ち抜いた後の形状を実線で示す。切欠部１７を打ち抜き後、二点鎖線Ｊ部を絞り成形して凹部１４を形成する。該凹部の絞り成形時に凹部１４周辺部材が延伸されて該凹部の窪みを形成するが、切欠部１７側では絞り型の押圧力が少ないので部材があまり延伸されずに部材の引き込みが生ずる。従って、部材の引き込み量Ｌ９だけ事前に切欠部１７内に凸状とした曲線Ｑに沿って切欠部１７を形成してある。換言すれば、絞り成形後に所定の寸法Ｌ3を満足する直線Ｋが得られるように事前に曲線Ｑに沿って切欠部１７を形成してある。
【００５９】
凹部１４の形成後一点鎖線Ｍ部およびＮ部をほぼ直角に折り曲げて形成し、所定の形状を得る。
【００６０】
なお、Ｌ3寸法は、図９の切欠部隅アールＲ２程度、もしくは後述する図１０のＭ部折り曲げアールＲ1程度まで小さくできるので、図４に示すＬ1寸法を小さくして意匠効果の良い細めのハンドル部材を形成できる。例えば、扉外板１０の板厚を０.５ｍｍとして、Ｒ1＝Ｒ２＝３ｍｍとすればＬ3寸法は３ｍｍから８ｍｍ程度で良く、Ｌ4寸法は前述したように６ｍｍから１２ｍｍとして、Ｌ2寸法を１ｍｍから１０ｍｍ程度とすれば、Ｌ１寸法は１０ｍｍから３０ｍｍ程度に小さくできる。つまり、前述した、手掛け代として手指の第一関節が掛かるに適した寸法とすることが出来る。
【００６１】
ここで、前記Ｍ部およびＮ部の折り曲げ加工例について図１０から図１１により説明する。図１０は扉外板の側面壁１２の折り曲げ加工状態を示す説明図であり、図１１は扉外板の金属製フランジ１３の折り曲げ加工状態を示す説明図である。
【００６２】
前記Ｍ部を曲げアールＲ1にて折り曲げる場合は、曲げ部にＲ1を有した下曲げ型３２と、それに扉外板の板厚差分だけ離隔した上曲げ型３１で折り曲げ成形するが、切欠部１７部分では、前記Ｒ１部分が存在しないために該切欠部１７相当部分の下曲げ型３２は図10に示すように凹部１４と間隙Ｇ１を有して形成されるので下曲げ型の製作加工が容易になる。つまり、従来例の図１６で示した挟持部Ｔ3部を突出して設置する必要が無く、下曲げ型３２の製作加工が容易になる。
【００６３】
また、前記Ｎ部を曲げアールＲ3にて折り曲げる場合は、曲げ部にＲ3を有した内型３４と、それに扉外板の板厚差分だけ離隔した外型３３で折り曲げ成形するが、切欠部１７部分では切欠部１７が側面壁１２を全て切り欠いて側面壁１２を分割するようにしたことにより、前記Ｒ3部分が存在しないために該切欠部１７相当部分の内型３４は図１２に示すように凹部１４と間隙Ｇ2を有して、かつ、外板と間隙Ｇ3や間隙Ｇ4を有して形成されるので内型の製作加工が容易になる。つまり、従来例の図１７で示した凸部Ｔ4を設置する必要が無く、内型９０の製作加工が容易になると共にその強度も従来例より向上した構成にできる。
【００６４】
本実施例によれば、扉表面とその一辺部に連続する側面壁とを金属製鋼板にて形成し、扉表面の一部に扉開放用の手掛け部を形成する凹部を設け、該凹部相当位置の金属製側面壁を全て切り欠いたので、折り曲げ加工用の曲げ型に従来例のような挟持部Ｔ３部を突出して設置する必要が無く、下曲げ型の製作加工が容易になると共に下曲げ型自身の寿命強度も向上する。
【００６５】
次に本発明の扉外板加工の第二の実施例を図１２から図１３により説明する。
【００６６】
図１２は扉外板の折り曲げ形成前の状態を示す平面図であり、図１３は図１２のＦ−Ｆ線に沿う縦断面図である。
【００６７】
本発明の第二の実施例の特徴とするところは、扉外板の凹部絞り成形時に２枚の外板を同時に絞ることにより凹部周辺の歪を減少させると共に、製造効率の向上を図るにある。例えば、製氷室扉の表面主体面を４１とし、冷凍室扉の表面主体面を４２とすると、それぞれの扉開閉用の窪みである凹部４３と凹部４４を曲面Ｒで連続させて、図１２の実線で示すように、該凹部４３、凹部４４、曲面Ｒを同時に絞り加工し、その後点線で示す切欠部４５、４６を打ち抜き、二点鎖線Ｓに沿って切断してそれぞれの扉外板母板とするものである。
【図面の簡単な説明】
【００６８】
【図１】本発明の一実施例を示す冷蔵庫正面図
【図２】本発明の一実施例を示す扉斜視図
【図３】本発明の一実施例を示すもので、図２のＢ−Ｂ線に沿う断面図
【図４】本発明の一実施例を示すもので、図３のＤ−Ｄ線に沿う縦断面図
【図５】本発明の一実施例を示すもので、図３のＣ−Ｃ線に沿う縦断面図
【図６】本発明の一実施例を示すもので、図３のＥ−Ｅ線に沿う縦断面図
【図７】本発明の一実施例を示すもので、ハンドル部材および補強部材の扉外板に対する取り付け状態を示す扉上方より見た場合の分解斜視図
【図８】本発明の一実施例を示すもので、ハンドル部材の扉外板に対する取り付け状態を示す扉下方より見た場合の分解斜視図
【図９】本発明の第一の実施例を示すもので、扉外板の折り曲げ形成前の状態を示す平面図
【図１０】本発明の第一の実施例を示すもので、扉外板の側面壁の折り曲げ加工状態を示す説明図
【図１１】本発明の第一の実施例を示すもので、扉外板の金属製フランジの折り曲げ加工状態を示す説明図
【図１２】本発明の第二の実施例を示すもので、扉外板の折り曲げ形成前の状態を示す平面図
【図１３】本発明の第二の実施例を示すもので、図１２のＦ−Ｆ線に沿う縦断面図
【図１４】従来例を示す扉正面図
【図１５】従来例を示すもので、図１４のＡ−Ａ線に沿う横断面図
【図１６】従来例を示すもので、扉外板の側面壁の折り曲げ加工状態を示す説明図
【図１７】従来例を示すもので、扉外板の金属製フランジの折り曲げ加工状態を示す説明図
【符号の説明】
【００６９】
１…冷蔵庫箱体、５…ガスケット、１０…扉外板、１１…表面主体面、１２…側面壁、１３…金属製フランジ、１４…凹部、１５…凸部、１６…ガイド孔、１７…切欠部、２１…補強部材、２２…固定穴、２３…通し穴、２６…ハンドル部材、２７…係止軸、２８…手掛け片、２９…シール片、３０…手掛け部、３１…上曲げ型、３２…下曲げ型、３３…外型、３４…内型。
【図１】
2005083682.tif 000003
【図２】
2005083682.tif 000004
【図３】
2005083682.tif 000005
【図４】
2005083682.tif 000006
【図５】
2005083682.tif 000007
【図６】
2005083682.tif 000008
【図７】
2005083682.tif 000009
【図８】
2005083682.tif 000010
【図９】
2005083682.tif 000011
【図１０】
2005083682.tif 000012
【図１１】
2005083682.tif 000013
【図１２】
2005083682.tif 000014
【図１３】
2005083682.tif 000015
【図１４】
2005083682.tif 000016
【図１５】
2005083682.tif 000017
【図１６】
2005083682.tif 000018
【図１７】
2005083682.tif 000019